(57)【要約】【課題】複数の通信システムの競合による消費電力の上昇を抑制できる無線端末装置及び無線通信方法を提供すること。【解決手段】スマートフォン１において、３Ｇシステムでの通信が生じると、３Ｇ制御部６１は、ＧＰＩＯ６７の出力をＨｉｇｈに設定し、電力制御部６４１は、送信制御を実行してＷｉＭＡＸの送信電力を低減する。スイッチ６８は、３Ｇパワーアンプ６２及びＷｉＭＡＸパワーアンプ６５が共に起動しており、かつ、ＧＰＩＯ６７の出力がＨｉｇｈである場合、ＷｉＭＡＸの送信電力を切断する。ＷｉＭＡＸ制御部６４は、送信制御により送信電力の低減を完了すると、ＧＰＩＯ６７の出力をＬｏｗに設定し、スイッチ６８は、送信電力の切断を解除する。【選択図】図５
2013135239.tif 000002
【特許請求の範囲】
【請求項１】
第１の通信システム及び第２の通信システムの双方で無線通信可能な無線端末装置であって、
前記第１の通信システムにおける送信電力を増幅する第１のアンプと、
前記第２の通信システムにおける送信電力を増幅する第２のアンプと、
前記第１のアンプの起動及び停止を制御する第１の制御部と、
前記第２のアンプの起動及び停止を制御し、かつ、前記第１の通信システムにより無線通信を行なっている場合に、前記第２のアンプにより増幅される送信電力を低減し、当該無線通信が終了した場合に、当該送信電力を回復する送信制御を実行する第２の制御部と、
入力信号に応じて第１の値又は第２の値となる出力信号を切り替えるインタフェース回路と、
前記第１のアンプ及び前記第２のアンプが共に起動しており、かつ、前記インタフェース回路の出力信号が第１の値である場合、前記第２のアンプにより増幅された送信電力を切断するスイッチと、を備え、
前記第１の制御部は、前記第１の通信システムによる無線通信を開始すると、前記インタフェース回路に対して、前記出力信号が前記第１の値となる信号を入力し、
前記第２の制御部は、前記送信制御により前記送信電力の低減を完了すると、前記インタフェース回路に対して、前記出力信号が前記第２の値となる信号を入力する無線端末装置。
【請求項２】
前記第１の通信システムは、セルラー方式の通信規格に準拠している請求項１に記載の無線端末装置。
【請求項３】
前記第２の通信システムは、ＷｉＭＡＸ方式の無線通信システムである請求項１又は請求項２に記載の無線端末装置。
【請求項４】
第１の通信システム及び第２の通信システムの双方で無線通信可能な無線端末装置であって、
前記第１の通信システムにおける送信電力を増幅する第１のアンプと、
前記第２の通信システムにおける送信電力を増幅する第２のアンプと、
前記第１のアンプの起動及び停止を制御する第１の制御部と、
前記第２のアンプの起動及び停止を制御し、かつ、前記第１の通信システムにより無線通信を行なっている場合に、前記第２のアンプにより増幅される送信電力を低減し、当該無線通信が終了した場合に、当該送信電力を回復する送信制御を実行する第２の制御部と、を備える無線端末装置。
【請求項５】
第１の通信システム及び第２の通信システムの双方で無線通信可能な無線端末装置であって、
前記第１の通信システムにおける送信電力を増幅する第１のアンプと、
前記第２の通信システムにおける送信電力を増幅する第２のアンプと、
前記第１のアンプ及び前記第２のアンプが共に起動している場合、前記第２のアンプにより増幅された送信電力を切断するスイッチと、を備える無線端末装置。
【請求項６】
第１の通信システム及び第２の通信システムの双方で無線通信可能な無線端末装置であって、
前記第１の通信システムにより通信する第１の通信部と、
前記第２の通信システムにより通信する第２の通信部と、
前記第１の通信部による通信と、前記第２の通信部による通信とが同時に発生している場合、前記第２の通信部の送信電力を制御する制御部と、を備える無線端末装置。
【請求項７】
第１の通信システムにより通信する第１の通信部と、第２の通信システムにより通信する第２の通信部と、を備え、前記第１の通信システム及び前記第２の通信システムの双方で無線通信可能な無線端末装置の無線通信方法であって、
前記第１の通信部による通信と、前記第２の通信部による通信とが同時に発生している場合、前記第２の通信部の送信電力を制御する無線通信方法。
【発明の詳細な説明】
【技術分野】
【０００１】
本発明は、複数の通信システムで無線通信可能な無線端末装置及び無線通信方法に関する。
【背景技術】
【０００２】
従来、スマートフォン又はタブレット端末等、タッチスクリーンディスプレイを備える無線端末装置が知られている。これらの無線端末装置は、高機能化に伴ってアプリケーションの実行、表示及び通信等に多くの電力を必要とする傾向にあるため、特に携帯型の無線端末装置では、ユーザの利便性を低下させることなく消費電力を低減させることが求められている。このような状況において、無線端末装置において消費電力を低減させる技術が提案されている（例えば特許文献１参照）。
【先行技術文献】
【特許文献】
【０００３】
【特許文献１】特開２００９−４９８７５号公報
【発明の概要】
【発明が解決しようとする課題】
【０００４】
ところで、ＣＤＭＡ、ＷｉＦｉ、ＭｉＭＡＸ等、様々な無線通信方式が規定されており、無線端末装置は、複数の通信システムに対応している場合がある。この場合、これら複数の通信システムにおいて同時に通信を行うことができる。例えば、無線端末装置は、ＷｉＭＡＸでデータ通信を行いつつ、ＣＤＭＡによる音声通信が可能である。
【０００５】
しかしながら、複数の通信システムにおいて同時に通信を行うと、消費電力が大きくなる。その結果、無線端末装置の電池容量に起因して、電源が落ちてしまうおそれがあった。
【０００６】
本発明は、複数の通信システムの競合による消費電力の上昇を抑制できる無線端末装置及び無線通信方法を提供することを目的とする。
【課題を解決するための手段】
【０００７】
本発明に係る無線端末装置は、第１の通信システム及び第２の通信システムの双方で無線通信可能な無線端末装置であって、前記第１の通信システムにおける送信電力を増幅する第１のアンプと、前記第２の通信システムにおける送信電力を増幅する第２のアンプと、前記第１のアンプの起動及び停止を制御する第１の制御部と、前記第２のアンプの起動及び停止を制御し、かつ、前記第１の通信システムにより無線通信を行なっている場合に、前記第２のアンプにより増幅される送信電力を低減し、当該無線通信が終了した場合に、当該送信電力を回復する送信制御を実行する第２の制御部と、入力信号に応じて第１の値又は第２の値となる出力信号を切り替えるインタフェース回路と、前記第１のアンプ及び前記第２のアンプが共に起動しており、かつ、前記インタフェース回路の出力信号が第１の値である場合、前記第２のアンプにより増幅された送信電力を切断するスイッチと、を備え、前記第１の制御部は、前記第１の通信システムによる無線通信を開始すると、前記インタフェース回路に対して、前記出力信号が前記第１の値となる信号を入力し、前記第２の制御部は、前記送信制御により前記送信電力の低減を完了すると、前記インタフェース回路に対して、前記出力信号が前記第２の値となる信号を入力する。
【０００８】
また、前記第１の通信システムは、セルラー方式の通信規格に準拠していることが好ましい。
【０００９】
また、前記第２の通信システムは、ＷｉＭＡＸ方式の無線通信システムであることが好ましい。
【００１０】
本発明に係る無線端末装置は、第１の通信システム及び第２の通信システムの双方で無線通信可能な無線端末装置であって、前記第１の通信システムにおける送信電力を増幅する第１のアンプと、前記第２の通信システムにおける送信電力を増幅する第２のアンプと、前記第１のアンプの起動及び停止を制御する第１の制御部と、前記第２のアンプの起動及び停止を制御し、かつ、前記第１の通信システムにより無線通信を行なっている場合に、前記第２のアンプにより増幅される送信電力を低減し、当該無線通信が終了した場合に、当該送信電力を回復する送信制御を実行する第２の制御部と、を備える。
【００１１】
本発明に係る無線端末装置は、第１の通信システム及び第２の通信システムの双方で無線通信可能な無線端末装置であって、前記第１の通信システムにおける送信電力を増幅する第１のアンプと、前記第２の通信システムにおける送信電力を増幅する第２のアンプと、前記第１のアンプ及び前記第２のアンプが共に起動している場合、前記第２のアンプにより増幅された送信電力を切断するスイッチと、を備える。
【００１２】
本発明に係る無線端末装置は、第１の通信システム及び第２の通信システムの双方で無線通信可能な無線端末装置であって、前記第１の通信システムにより通信する第１の通信部と、前記第２の通信システムにより通信する第２の通信部と、前記第１の通信部による通信と、前記第２の通信部による通信とが同時に発生している場合、前記第２の通信部の送信電力を制御する制御部と、を備える。
【００１３】
本発明に係る無線通信方法は、第１の通信システムにより通信する第１の通信部と、第２の通信システムにより通信する第２の通信部と、を備え、前記第１の通信システム及び前記第２の通信システムの双方で無線通信可能な無線端末装置の無線通信方法であって、前記第１の通信部による通信と、前記第２の通信部による通信とが同時に発生している場合、前記第２の通信部の送信電力を制御する。
【発明の効果】
【００１４】
本発明によれば、無線端末装置において、複数の通信システムの競合による消費電力の上昇を抑制できる。
【図面の簡単な説明】
【００１５】
【図１】実施形態に係るスマートフォンの外観を示す斜視図である。
【図２】実施形態に係るスマートフォンの外観を示す正面図である。
【図３】実施形態に係るスマートフォンの外観を示す背面図である。
【図４】実施形態に係るスマートフォンの構成を示すブロック図である。
【図５】実施形態に係る通信ユニットの詳細な構成を示すブロック図である。
【図６】実施形態に係る処理の流れとＷｉＭＡＸの出力電力の推移との第１の例を示す図である。
【図７】実施形態に係る処理の流れとＷｉＭＡＸの出力電力の推移との第２の例を示す図である。
【図８】変形例１に係る通信ユニットの構成を示すブロック図である。
【図９】変形例２に係る通信ユニットの構成を示すブロック図である。
【発明を実施するための形態】
【００１６】
本発明を実施するための実施形態を、図面を参照しつつ詳細に説明する。以下では、無線端末装置の一例として、スマートフォンについて説明する。
【００１７】
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１８】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インタフェース１４とをサイドフェイス１Ｃに有する。以下では、ボタン３Ａ〜３Ｆを、どのボタンであるかを特定することなく、ボタン３と総称することがある。
【００１９】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２０】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２１】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２２】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２３】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２４】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２５】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２６】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２７】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２８】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００２９】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３０】
図４は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インタフェース１４と、加速度センサ１５と、方位センサ１６と、回転検出センサ１７とを有する。
【００３１】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３２】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３３】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３４】
照度センサ４は、照度を検出する。例えば、照度とは、光の強さ、明るさ、輝度等である。照度センサ４は、例えば、ディスプレイ２Ａの輝度の調整に用いられる。
【００３５】
近接センサ５は、近隣の物体の存在を非接触で検出する。近接センサ５は、例えば、タッチスクリーンディスプレイ２が顔に近付けられたことを検出する。
【００３６】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３７】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００３８】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００３９】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４０】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００４１】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４２】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４３】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００４４】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４５】
カメラ１２は、フロントフェイス１Ａに面している物体を撮影するインカメラである。カメラ１３は、バックフェイス１Ｂに面している物体を撮影するアウトカメラである。
【００４６】
外部インタフェース１４は、他の装置が接続される端子である。外部インタフェース１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インタフェース１４は、Ｄｏｃｋコネクタのような専用に設計された端子でもよい。外部インタフェース１４に接続される装置には、例えば、外部ストレージ、スピーカ、通信装置が含まれる。
【００４７】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００４８】
このように構成されるスマートフォン１は、消費電力を低減することができる。以下に、具体的な構成について説明する。
【００４９】
図５は、スマートフォン１における通信ユニット６の詳細な構成を示すブロック図である。
なお、スマートフォン１は、無線通信システムとして、３Ｇ方式の無線通信システム（第１の通信システム、例えば、ＣＤＭＡ２０００＿１ｘ、Ｗ−ＣＤＭＡ等である。以下、３Ｇシステムという。）、及び３Ｇシステムよりも優先度が低いＷｉＭＡＸ（第２の通信システム）に対応しており、双方の無線通信システムで無線通信可能であるものとする。
【００５０】
通信ユニット６は、３Ｇシステムに対応する３Ｇ制御部６１（第１の制御部）、３Ｇパワーアンプ６２（第１のアンプ）及び３Ｇアンテナ６３と、ＷｉＭＡＸに対応するＷｉＭＡＸ制御部６４（第２の制御部）、ＷｉＭＡＸパワーアンプ６５（第２のアンプ）及びＷｉＭＡＸアンテナ６６と、汎用のインタフェース回路であるＧＰＩＯ（Ｇｅｎｅｒａｌ  Ｐｕｒｐｏｓｅ  Ｉｎｐｕｔ／Ｏｕｔｐｕｔ）６７と、スイッチ６８とを備える。
【００５１】
３Ｇ制御部６１は、３Ｇパワーアンプ６２の起動及び停止を制御すると共に、コントローラ１０から供給される送信信号を変調処理し、処理後の信号を、３Ｇパワーアンプ６２を介して３Ｇアンテナ６３へ供給する。
【００５２】
３Ｇパワーアンプ６２は、３Ｇ制御部６１により起動された場合に、３Ｇシステムにおける送信電力を増幅して、３Ｇアンテナ６３へ提供する。
【００５３】
３Ｇアンテナ６３は、３Ｇ制御部６１から供給される信号を、３Ｇパワーアンプ６２によって増幅された送信電力で外部装置へ送信する。
【００５４】
ＷｉＭＡＸ制御部６４は、ＷｉＭＡＸパワーアンプ６５の起動及び停止を制御すると共に、コントローラ１０から供給される送信信号を変調処理し、処理後の信号を、ＷｉＭＡＸパワーアンプ６５を介してＷｉＭＡＸアンテナ６６へ供給する。
【００５５】
さらに、ＷｉＭＡＸ制御部６４の電力制御部６４１は、３Ｇシステムにより無線通信を行なっている場合に、ＷｉＭＡＸパワーアンプ６５により増幅される送信電力を低減し、この無線通信が終了した場合に、低減された送信電力を元の規模に回復する送信制御を実行する。
【００５６】
ＷｉＭＡＸパワーアンプ６５は、ＷｉＭＡＸ制御部６４により起動された場合に、ＷｉＭＡＸシステムにおける送信電力を増幅して、ＷｉＭＡＸアンテナ６６へ提供する。
【００５７】
ＷｉＭＡＸアンテナ６６は、ＷｉＭＡＸ制御部６４から供給される信号を、ＷｉＭＡＸパワーアンプ６５によって増幅された送信電力で外部装置へ送信する。
【００５８】
ＧＰＩＯ６７は、３Ｇ制御部６１又はＷｉＭＡＸ制御部６４からの入力信号に応じてＨｉｇｈ（第１の値）又はＬｏｗ（第２の値）となる出力信号を切り替えるインタフェース回路である。
【００５９】
スイッチ６８は、３Ｇパワーアンプ６２及びＷｉＭＡＸパワーアンプ６５が共に起動しており、かつ、ＧＰＩＯ６７の出力信号がＨｉｇｈである場合、ＷｉＭＡＸパワーアンプ６５より増幅された送信電力を切断して出力をゼロにする。
【００６０】
ここで、３Ｇ制御部６１は、３Ｇシステムによる無線通信を開始すると、スイッチ６８に対して、出力信号がＨｉｇｈとなる信号を入力する。また、ＷｉＭＡＸ制御部６４は、送信制御により送信電力の低減を完了すると、ＧＰＩＯ６７に対して、出力信号がＬｏｗとなる信号を入力する。
【００６１】
図６は、本実施形態に係る３Ｇ制御部６１及びＷｉＭＡＸ制御部６４の処理の流れと、ＷｉＭＡＸの出力電力の推移との第１の例を示す図である。
第１の例は、ＷｉＭＡＸで通信中に３Ｇシステムの通信が発生した場合を示している。既にＷｉＭＡＸで通信が行われているため、ＷｉＭＡＸパワーアンプ６５は起動（ＯＮ）されている。
【００６２】
ステップＳ１において、３Ｇ制御部６１は、３Ｇシステムで通信が開始されたことに応じて、ＧＰＩＯ６７の出力をＨｉｇｈに設定する。
【００６３】
ステップＳ２において、３Ｇ制御部６１は、ＷｉＭＡＸ制御部６４に対して、送信制御の開始を要求する。
【００６４】
ステップＳ３において、３Ｇ制御部６１は、３Ｇパワーアンプ６２を起動（ＯＮ）する。この時点で、３Ｇパワーアンプ６２及びＷｉＭＡＸパワーアンプ６５が共に起動状態になり、かつ、ＧＰＩＯ６７の出力がＨｉｇｈになっているため、スイッチ６８により、ＷｉＭＡＸの出力電力（ＷｉＭＡＸ  Ｐｏｗｅｒ）がゼロ［ｄＢｍ］となる。
【００６５】
なお、ＷｉＭＡＸ制御部６４は、起動状態が継続されているため、ＷｉＭＡＸパワーアンプ６５により増幅される電力は、破線で示すように維持されている。ところが、スイッチ６８によって強制的に出力が切断されるため、最終的に実線で示すように出力電力はゼロとなる。
【００６６】
ステップＳ４において、ＷｉＭＡＸ制御部６４は、ステップＳ２の要求に応じて送信制御（送信電力の低減）を開始する。つまり、ＷｉＭＡＸパワーアンプ６５により増幅される電力は、破線で示すように減少していく。
【００６７】
ステップＳ５において、ＷｉＭＡＸ制御部６４は、送信電力の低減を完了する。この時点で、３Ｇシステム及びＷｉＭＡＸの双方での通信が両立可能な送信電力となる。
【００６８】
ステップＳ６において、ＷｉＭＡＸ制御部６４は、ステップＳ５で送信電力の低減が完了したので、ＧＰＩＯ６７の出力をＬｏｗに設定する。すると、スイッチ６８は、出力電力の切断を解除するので、実線で示すように、ＷｉＭＡＸの出力電力がゼロから上昇し、送信制御により低減された電力で通信が再開される。
【００６９】
ステップＳ７において、３Ｇ制御部６１は、３Ｇシステムで通信が終了されたことに応じて、３Ｇパワーアンプ６２を停止（ＯＦＦ）する。
【００７０】
ステップＳ８において、３Ｇ制御部６１は、ＷｉＭＡＸ制御部６４に対して、送信制御の停止を要求する。
【００７１】
ステップＳ９において、ＷｉＭＡＸ制御部６４は、ステップＳ８の要求に応じて送信電力の回復を開始する。つまり、ＷｉＭＡＸパワーアンプ６５により増幅される電力は、低減された状態から上昇し始める。
【００７２】
ステップＳ１０において、ＷｉＭＡＸの出力電力は正常値に回復し、ＷｉＭＡＸ制御部６４は、送信制御（送信電力の回復）を完了する。
【００７３】
図７は、本実施形態に係る３Ｇ制御部６１及びＷｉＭＡＸ制御部６４の処理の流れと、ＷｉＭＡＸの出力電力の推移との第２の例を示す図である。
第２の例は、３Ｇシステムで通信中にＷｉＭＡＸの通信が発生した場合を示している。
【００７４】
ステップＳ１１において、３Ｇ制御部６１は、３Ｇシステムで通信が開始されたことに応じて、ＧＰＩＯ６７の出力をＨｉｇｈに設定する。
【００７５】
ステップＳ１２において、３Ｇ制御部６１は、ＷｉＭＡＸ制御部６４に対して、送信制御の開始を要求する。
【００７６】
ステップＳ１３において、３Ｇ制御部６１は、３Ｇパワーアンプ６２を起動（ＯＮ）する。
【００７７】
ステップＳ１４において、ＷｉＭＡＸ制御部６４は、ステップＳ１２の要求に応じて送信制御（送信電力の低減）を開始する。つまり、ＷｉＭＡＸパワーアンプ６５により増幅される電力は、破線で示すように減少していく。
なお、ＷｉＭＡＸパワーアンプ６５は起動していない（ＯＦＦ）ので、実際の出力電力（ＷｉＭＡＸ  Ｐｏｗｅｒ）は実線で示すようにゼロ［ｄＢｍ］であるが、ＷｉＭＡＸパワーアンプ６５が仮に起動された場合の出力を破線で示している。
【００７８】
ステップＳ１５において、ＷｉＭＡＸ制御部６４は、送信電力の低減を完了する。この時点で、３Ｇシステム及びＷｉＭＡＸの双方での通信が両立可能な送信電力（破線）となる。
【００７９】
ステップＳ１６において、ＷｉＭＡＸ制御部６４は、ステップＳ１５で送信電力の低減が完了したので、ＧＰＩＯ６７の出力をＬｏｗに設定する。
【００８０】
ステップＳ１７において、ＷｉＭＡＸ制御部６４は、ＷｉＭＡＸで通信が開始されたことに応じて、ＷｉＭＡＸパワーアンプ６５を起動（ＯＮ）する。
この時点で、送信制御により既に送信電力は低減されているため、この低減された電力で通信が行われる。
【００８１】
ステップＳ１８において、ＷｉＭＡＸ制御部６４は、ＷｉＭＡＸで通信が終了されたことに応じて、ＷｉＭＡＸパワーアンプ６５を停止（ＯＦＦ）する。これにより、ＷｉＭＡＸの出力電力は、再びゼロ［ｄＢｍ］となる。
【００８２】
以上のように、本実施形態によれば、スマートフォン１は、３Ｇシステムでの通信が生じると、送信制御を実行してＷｉＭＡＸの送信電力を低減するので、３Ｇシステム及びＷｉＭＡＸの競合により消費電力が上昇するのを抑制できる。
【００８３】
また、スマートフォン１は、３Ｇシステムでの通信が生じると、ＧＰＩＯ６７の出力をＨｉｇｈに設定する。このとき、３Ｇパワーアンプ６２及びＷｉＭＡＸパワーアンプ６５が共に起動していれば、スイッチ６８がＷｉＭＡＸの送信電力を切断する。したがって、送信制御により送信電力が十分に低減するまでにタイムラグがある場合、強制的に出力をゼロすることにより消費電力の上昇を抑制できる。
さらに、スマートフォン１は、送信制御により送信電力の低減が完了すると、ＧＰＩＯ６７の出力をＬｏｗに設定するので、送信電力の切断が解除され、３Ｇシステム及びＷｉＭＡＸの双方で通信が可能となる。
【００８４】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００８５】
＜変形例１＞
例えば、スマートフォン１ａが上述のＧＰＩＯ６７及びスイッチ６８を備えない場合にも、消費電力の上昇を抑制する効果が期待できる。
【００８６】
図８は、変形例１に係る通信ユニット６ａの構成を示すブロック図である。
３Ｇ制御部６１ａ及びＷｉＭＡＸ制御部６４は、ＧＰＩＯ６７の設定を行わず、スイッチ６８による送信電力の切断は行われないが、電力制御部６４１の送信制御により、ＷｉＭＡＸの送信電力は低減される。したがって、送信制御が十分に高速である、又は３Ｇパワーアンプ６２の起動タイミングを遅らせることにより、スマートフォン１は、消費電力の上昇を抑制できる。
【００８７】
＜変形例２＞
また、ＷｉＭＡＸ制御部６４が電力制御部６４１を備えない場合にも、消費電力の上昇を抑制する効果が期待できる。
【００８８】
図９は、変形例２に係る通信ユニット６ｂの構成を示すブロック図である。
ＷｉＭＡＸ制御部６４ｂは、送信制御を行わない。また、３Ｇ制御部６１ａ及びＷｉＭＡＸ制御部６４ｂは、ＧＰＩＯ６７の設定を行わず、スイッチ６８ｂは、ＧＰＩＯ６７の出力を参照しない。
【００８９】
スイッチ６８ｂは、３Ｇパワーアンプ６２及びＷｉＭＡＸパワーアンプ６５が共に起動（ＯＮ）している場合に、ＷｉＭＡＸパワーアンプ６５により増幅された送信電力を切断する。
したがって、３Ｇシステム及びＷｉＭＡＸの双方での通信が要求された場合に、優先される３Ｇシステムの通信が終了するまで、ＷｉＭＡＸの通信が行われないので、通信システムの競合により消費電力が上昇するのを抑制できる。
【００９０】
なお、前述の実施形態及び変形例において、３Ｇ制御部６１、６１ａ又はＷｉＭＡＸ制御部６４、６４ａ、６４ｂの機能は、コントローラ１０が有していてもよい。
【００９１】
また、図４及び図５に示したスマートフォン１の構成は一例であり、本発明の要旨を損なわない範囲において適宜変更してよい。
例えば、通信ユニット６は、３Ｇシステム及びＷｉＭＡＸに対応するものとして説明したが、これには限られず、他の無線通信システムであってもよい。
【００９２】
また、前述の実施形態では、無線端末装置の一例として、スマートフォンについて説明したが、無線端末装置は、スマートフォンに限定されない。例えば、無線端末装置は、モバイルフォン、携帯型パソコン、デジタルカメラ、メディアプレイヤ、電子書籍リーダ、ナビゲータ又はゲーム機等の携帯電子機器、あるいは通信機能に特化した通信専用モジュールであってもよい。また、無線端末装置は、デスクトップパソコン、テレビ受像器等の据え置き型の電子機器であってもよい。
【符号の説明】
【００９３】
１、１ａ  スマートフォン（無線端末装置）
６、６ａ、６ｂ  通信ユニット
１０  コントローラ
６１、６１ａ  ３Ｇ制御部（第１の制御部）
６２  ３Ｇパワーアンプ（第１のアンプ）
６４、６４ａ、６４ｂ  ＷｉＭＡＸ制御部（第２の制御部）
６５  ＷｉＭＡＸパワーアンプ（第２のアンプ）
６７  ＧＰＩＯ（インタフェース回路）
６８、６８ｂ  スイッチ
６４１  電力制御部
【図１】
2013135239.tif 000003
【図２】
2013135239.tif 000004
【図３】
2013135239.tif 000005
【図４】
2013135239.tif 000006
【図５】
2013135239.tif 000007
【図６】
2013135239.tif 000008
【図７】
2013135239.tif 000009
【図８】
2013135239.tif 000010
【図９】
2013135239.tif 000011